(57)【要約】【課題】便器使用者の首筋に風を吹き付けることができ、トイレ室内にコンパクトに設置できるキャビネットを提供する。【解決手段】前方に便器６が設置される前板５と、この前板５の側方に設けられ収納室を開閉する扉１１，１２を備えたトイレ内のキャビネット３において、前板５と扉１１との間に、便器６を使用する人に向かって風を吹き出す吹出口９，９を縦長に設けて構成する。【選択図】図１
2008168084.tif 000002
【特許請求の範囲】
【請求項１】
収納室を備えた水廻り空間のキャビネットにおいて、風を吹き出す吹出口を縦長に設けたことを特徴とするキャビネット。
【請求項２】
前記収納室を開閉する扉、あるいはキャビネットの前板の横に、前記吹出口を設けたことを特徴とする請求項１に記載のキャビネット。
【請求項３】
前方に便器が設置される前板と、該前板の側方に設けられ収納室を開閉する扉を備えたトイレ内のキャビネットにおいて、前記前板と前記扉との間に、前記便器上の人に向かって風を吹き出す吹出口を縦長に設けたことを特徴とするキャビネット。
【請求項４】
前記吹出口を有する縦長形状の送風ボックスが前記前板と前記扉との間に配置され、該送風ボックスに前記扉が開閉可能に取り付けられていることを特徴とする請求項３に記載のキャビネット。
【請求項５】
前記吹出口がキャビネットの上端側から下端側に至る全域に設けられていることを特徴とする請求項１乃至請求項４何れかに記載のキャビネット。
【発明の詳細な説明】
【技術分野】
【０００１】
本発明は、キャビネットに関するものである。
【背景技術】
【０００２】
従来、特許文献１に開示されているように、トイレ内に設置されたキャビネットの下端側に室内暖房温風吹出口が設けられて、この室内暖房温風吹出口から温風が便器使用者の足元に向かって吹き出されるように構成したものが存在する。
【特許文献１】特開２０００−２７２６５号公報
【発明の開示】
【発明が解決しようとする課題】
【０００３】
上記特許文献１に開示されているキャビネットでは、足元に温風を吹き出す構成であり、使用者の身体の広い範囲に風を当てることができる構造のものではなかった。
【課題を解決するための手段】
【０００４】
本発明は上記従来の問題点に鑑み案出したものであって、使用者に良好に風を当てて快感が得られるキャビネットを提供するものであり、その請求項１は、収納室を備えた水廻り空間のキャビネットにおいて、風を吹き出す吹出口を縦長に設けたことである。
【０００５】
また、請求項２は、前記収納室を開閉する扉、あるいはキャビネットの前板の横に、前記吹出口を設けたことである。
【０００６】
また、請求項３は、前方に便器が設置される前板と、該前板の側方に設けられ収納室を開閉する扉を備えたトイレ内のキャビネットにおいて、前記前板と前記扉との間に、前記便器上の人に向かって風を吹き出す吹出口を縦長に設けたことである。
【０００７】
また、請求項４は、前記吹出口を有する縦長形状の送風ボックスが前記前板と前記扉との間に配置され、該送風ボックスに前記扉が開閉可能に取り付けられていることである。
【０００８】
また、請求項５は、前記吹出口がキャビネットの上端側から下端側に至る全域に設けられていることである。
【発明の効果】
【０００９】
本発明は、収納室を備えた水廻り空間のキャビネットにおいて、風を吹き出す吹出口を縦長に設けたことにより、縦長の吹出口から広い範囲に亘って風を吹き出して、身体の広い範囲に風を当てることができ、快適性を向上させることができるものとなる。
【００１０】
また、前記収納室を開閉する扉、あるいはキャビネットの前板の横に、前記吹出口を設けたことにより、目立ち難い位置に吹出口を設けることができて、キャビネットの意匠性を確保することができるものとなる。
【００１１】
前方に便器が設置される前板と、該前板の側方に設けられ収納室を開閉する扉を備えたトイレ内のキャビネットにおいて、前記前板と前記扉との間に、前記便器上の人に向かって風を吹き出す吹出口を縦長に設けたことにより、吹出口を縦長に設けてキャビネットの前板と扉との間にコンパクトに配置させることができ、吹出口から風を便器使用者の首筋等に向けて吹き出し、良好な快感が得られるものとなる。
【００１２】
また、前記吹出口を有する縦長形状の送風ボックスが前記前板と前記扉との間に配置され、該送風ボックスに前記扉が開閉可能に取り付けられていることにより、送風装置のないキャビネットに対してもキャビネットの前板と扉との間に縦長状の送風ボックスをコンパクトに配置させることができ、送風ボックスに扉を開閉可能に取り付けて、扉をトイレ室内の間口いっぱいにすっきりと配置させることができるものとなる。
【００１３】
また、前記吹出口がキャビネットの上端側から下端側に至る全域に設けられていることにより、身体の広い範囲に風を当てることができるとともに、足元側にも風を吹き出させて、例えば温風を吹き出すことにより、足元を良好に温めることができるものとなる。
【実施例】
【００１４】
以下、本発明の実施例を図面に基づいて説明する。
図１は、トイレ室内に設置されたキャビネットの斜視構成図であり、図２は、このキャビネットの横断面要部拡大構成図である。
キャビネット３は、トイレ室内の正面壁１に当接状に、左右の側面壁２，２の間口いっぱいに隙間なく設置されており、このキャビネット３の中央の一対の仕切りフレーム４，４の前面には前板５が固定状に設けられ、この仕切りフレーム４，４と前板５に囲まれてタンク室７が形成されており、このタンク室７内にはロータンクが収納されるものであり、前板５の前方には、便器６が設置されるものである。
仕切りフレーム４の外側面には、縦長箱状の送風ボックス８がビス等で固定されており、この送風ボックス８の前面上部部位には、縦方向に間隔をおいて複数の吹出口９，９，９が設けられている。
【００１５】
この縦長箱状の送風ボックス８の前部側面には、ヒンジ１０を介して前方側へ開閉可能に扉１１が設けられており、この扉１１の先端部側には、一部を扉１１の内側に重ね合わせてビス等で固定された間口調整板１２が設けられている。この間口調整板１２の扉１１に対する重ね代を調整することで、間口調整板１２の端部を側面壁２に対し隙間なく配置させることができるように構成されている。この扉１１と間口調整板１２の裏側には、収納室１４が形成されており、この収納室１４内に掃除道具等を収納できるものである。
【００１６】
本例では、間口調整板１２の上部部位に略縦長状に吸気口１３が開口されており、この吸気口１３の裏側にはフィルター１３ａが設けられてゴミ等を除去できるように構成されている。なお、このフィルター１３ａは、扉１１とともに間口調整板１２を開けることにより良好に交換できるものである。
なお、図３は、収納室１４の上部に設けられたシロッコファン１６の配置状態の正面構成図であり、収納室１４内の上面側には、図４の側面断面概略構成図で示すように、底側を仕切板１５で仕切られた空間内にシロッコファン１６が設けられており、シロッコファン１６の底側に下向きに開口１８が形成され、シロッコファン１６が回転することで吸気口１３及び開口１８から空気を吸い込み、ダクト１７を通して送風ボックス８の入口８ａに送風し、吹出口９から風を前方側へ吹き出させることができるように構成されている。
【００１７】
シロッコファン１６及びダクト１７は、収納室１４の上部にコンパクトに設けておき、収納室１４の空間が狭くならないように構成されている。なお、シロッコファン１６の開口１８には、例えば交換可能に芳香剤を入れるケース１９を設けておき、吹出口９から吹き出される風に香りを付与できるように構成しておくことができる。
【００１８】
なお、図４で示すように、送風ボックス８の前面８ｃの上部に縦方向に複数の吹出口９，９，９が形成されているが、各吹出口９から吹き出される風の向きを調整できるように、吹出口９の前面側に、軸２１を中心として上下方向に回動できる風向フィン２０が上下に複数設けられており、この風向フィン２０を上向きに調整することで、便器６上に着座している使用者の首筋に向けて良好に風を吹き出させることができるものである。
前記送風ボックス８とシロッコファン１６とダクト１７と風向フィン２０で送風装置が構成されている。
【００１９】
なお、送風ボックス８内には風量調整間仕切り２５が傾斜状に設けられており、この風量調整間仕切り２５は、背面８ｂ側の上端から前面８ｃ側に向かって下端側が傾斜して設けられたものであり、この風量調整間仕切り２５により、シロッコファン１６から送られる風の風圧が下方側で弱くなることが防がれて、複数の吹出口９から均等な風圧の風が吹き出されるように構成されている。
【００２０】
なお、吹出口９，９は、図１に示すように、便器６の便蓋６ａを開けた時にも、便蓋６ａで閉ざされることのない位置に設けられており、便蓋６ａを開けた状態でも吹出口９，９から吹き出される風が便器使用者の首筋に吹き付けられるように構成されている。
なお、吹出口９と吸気口１３間の横方向寸法は３０ｍｍ以上に設定されている。即ち、吹出口９と吸気口１３を３０ｍｍ以上離して配置することで、吹出流と吸気流とを完全に分離することができて、吹出口９から吹き出される吹出流を吸気口１３から吸い込まないように設定されている。吹出流を吸気口１３から吸い込んでしまうと、吹出口９からの風量が低下したりするためである。
【００２１】
なお、本例では、吸気口１３は間口調整板１２の上部部位に設けられたものを例示しているが、吸気口１３はキャビネット３の上面に横設される手洗い鉢２３を備えたカウンター２２の下面側等に形成させたものであっても良く、更には、吸気口１３を形成させることなく扉１１あるいは間口調整板１２の上端あるいは下端側の僅かな隙間から空気を吸い込むように構成しても良い。
なお、シロッコファン１６の開口１８側を、図示しない暖房装置や冷房装置のダクトに組み込むことにより、吹出口９からは温風あるいは冷風を吹き出させることもできるものである。
【００２２】
なお、図１のように、側面壁２に設置されるリモコン２４に設けられる送風スイッチ２４ａをオンすることで、光通信によりキャビネット３内部に設けられた受信部で受信して、シロッコファン１６が回転されるように構成しておくことができるものである。
【００２３】
なお、図５は、変更例を示すキャビネットの横断面要部拡大構成図であり、図５では、ファン１６を送風ボックス８内にコンパクトに設けたものであり、ファン１６は送風ボックス８内に垂直面内で回転可能に設けられており、ファン１６の回転により、送風ボックス８に開口された入口８ａから収納室１４内の空気を吸い込んで、吹出口９から風を便器６に着座している使用者の首筋に向けて良好に吹き出すことができるものであり、このように、ファン１６を送風ボックス８内に設けておけば、収納室１４を広く確保することができ、ダクト１７が不要となり、コンパクトな送風装置としてキャビネット３に組み込むことができるものとなる。
【００２４】
次に、図６の斜視構成図で示すキャビネット３は、下部に吸気口１３，１３が形成されたものであり、この場合は、図７の概略配置説明図で示すように、キャビネット３の収納室１４の底側のキャビネット下枠３ａを利用して、このキャビネット下枠３ａ内にシロッコファン１６を設け、このシロッコファン１６の下面側に吸気口１３と連通する開口１８を開口させておき、シロッコファン１６の回転により、吸気口１３および開口１８から空気を吸い込み、送風ボックス８内に空気を送り込んで吹出口９から風を吹き出させるように構成することができ、キャビネット下枠３ａと送風ボックス８の下部を連通させることで良好に風路を形成させることができ、また、キャビネット下枠３ａのシロッコファン１６の側方には、断面三角形状の水返し突起２７を設けておき、更に底側に水抜き孔２８を形成させておけば、誤って吹出口９から水が送風ボックス８内に浸入したような場合にも、良好に水抜き孔２８から水を抜くことができ、また水返し突起２７により、水がシロッコファン１６側へ浸入することを良好に防ぐことができるものとなる。
【００２５】
なお、更には、開口１８にヒーター２６を設けておき、このヒーター２６をＯＮすることで、吹出口９から温風を吹き出すことができるように構成することもでき、温風を吹き出させてトイレの除湿、防カビも行えるものである。
なお、吹出口９は、キャビネットの送風ボックス８の上端側から下端側に至る全域に設けられていても良く、そのような構成では、便器上の人に向かって風を良好に吹き出させることができるとともに、足元側にも風を吹き出させて、例えば温風を吹き出すことにより足元を良好に温めることができるものとなる。
【００２６】
更には、図８の横断面要部拡大構成図で示すように、風向きファン２０を左右方向に回動させて、吹出口９から吹き出される風向きを左右方向に調整できるように構成しておくこともできる。
この場合は、例えば、送風ボックス８内に、縦方向に透光材からなる固定筒体２９を設け、この固定筒体２９の内側に、透光材からなる回動筒体３０を回動可能に設け、固定筒体２９の前面側に縦方向に複数の吹出口９を形成させておき、この複数の吹出口９と整合する吹出口３０ａを回動筒体３０にも形成させておき、回動筒体３０を回動させて、吹出口３０ａが吹出口９に整合された状態で、回動筒体３０内に送られてくるシロッコファン１６からの風を、良好に吹出口９から前方側へ吹き出すことができ、この際に、風向きフィン２０を軸２１を中心として左右方向に調整して、吹出口９から吹き出される風の向きを良好に調整できるものである。
【００２７】
なお、図８では、回動筒体３０の内周面に反射材３１が設け、その前方の回動筒体３０内には縦方向にランプ３２を設けておくことができ、このランプ３２からの光を反射材３１で反射させて、吹出口９付近から前方側へ光が照射されるように構成しておくことができ、風とともに光による演出効果等が期待できるものである。
【００２８】
上記実施例では、縦長箱状の送風ボックス８をキャビネット３の仕切りフレーム４に固定させて、更に送風ボックス８にヒンジ１０を介して扉１１を開閉可能に取り付けることができるものであるため、コンパクトな設置状態が得られるものであり、送風装置を設けないキャビネット３においては、仕切りフレーム４にヒンジ１０を介して扉１１を取り付けることができ、送風装置の有るものと無いもので共通のキャビネット部材を使用することができるものである。
【００２９】
即ち、図９の横断面要部拡大構成図に示すように、送風装置を設けないキャビネット３においては、キャビネットの仕切りフレーム４にヒンジ１０を介して扉１１が開閉可能に設置されるものである。この場合は、扉１１に対する間口調整板１２の重ね代は少なくなり、間口調整板１２の先端が隙間なく側面壁２に配置されるものである。
【００３０】
なお、上記実施例では、トイレ室内に設置されたキャビネットを例示しているが、キッチン、洗面室などの水廻り空間に設置されるキャビネットについても上記構造を採用することができるものである。
【図面の簡単な説明】
【００３１】
【図１】トイレ室内に設置されたキャビネットの斜視構成図である。
【図２】キャビネットの横方向断面の要部拡大構成図である。
【図３】収納室の上部に配置されたシロッコファンの配置状態の正面配置構成図である。
【図４】送風ボックスの部分の縦断面における概略配置構成図である。
【図５】送風ボックス内にファンを設けた変更例のキャビネットの横方向断面要部拡大構成図平である。
【図６】吸気口を下部に設けたキャビネットの斜視構成図である。
【図７】図６のキャビネットにおけるファンと吹出口の配置構成を示す概略配置説明図である。
【図８】左右方向に風向きを変えることのできる変更例の横方向断面要部拡大構成図である。
【図９】送風装置を設けないキャビネットの横方向断面要部拡大構成図である。
【符号の説明】
【００３２】
１  正面壁
２  側面壁
３  キャビネット
４  仕切りフレーム
５  前板
６  便器
６ａ  便蓋
７  タンク室
８  送風ボックス
８ａ  入口
９  吹出口
１０  ヒンジ
１１  扉
１２  間口調整板
１３  吸気口
１３ａ  フィルター
１４  収納室
１６  シロッコファン
１７  ダクト
１８  開口
１９  芳香剤ケース
２０  風向フィン
２１  軸
２２  カウンター
２３  手洗い鉢
２４  リモコン
２４ａ  送風スイッチ
２５  風量調整間仕切り
２６  ヒーター
２７  水返し突起
２８  水抜き孔
２９  固定筒体
３０  回動筒体
３０ａ  吹出口
３１  反射材
３２  ランプ
【図１】
2008168084.tif 000003
【図２】
2008168084.tif 000004
【図３】
2008168084.tif 000005
【図４】
2008168084.tif 000006
【図５】
2008168084.tif 000007
【図６】
2008168084.tif 000008
【図７】
2008168084.tif 000009
【図８】
2008168084.tif 000010
【図９】
2008168084.tif 000011